(57)【要約】      （修正有）【課題】打撃時に手に伝わる衝撃を低減し、その衝撃低減効果を維持できるハンマーを提供する。【解決手段】手で把持可能な柄１０と、前記柄１０の先端に取り付けられ、柄１０の長手方向と直交する方向の端部に作業対象物を打撃可能な打撃面２２を有し、かつ内部に柄１０の長手方向と直交する方向に延びる収納室２３を有するヘッド２０と、前記収納室２３内に前記打撃面２２に対して接近離反する方向にスライド可能に保持されるスライダ３０と、前記収納室２３の前記打撃面２２に対向する底２３ａに配置された、前記ヘッド２０の材質よりも緩衝性の高い材質からなる緩衝部４０とを備えることを特徴とする。【選択図】図２
0003151899.tif 000002
【実用新案登録請求の範囲】
【請求項１】
手で把持可能な柄１０と、
前記柄１０の先端に取り付けられ、柄１０の長手方向と直交する方向の端部に作業対象物を打撃可能な打撃面２２を有し、かつ内部に柄１０の長手方向と直交する方向に延びる収納室２３を有するヘッド２０と、
前記収納室２３内に前記打撃面２２に対して接近離反する方向にスライド可能に保持されるスライダ３０と、
前記収納室２３の前記打撃面２２に対向する底２３ａに配置された、前記ヘッド２０の材質よりも緩衝性の高い材質からなる緩衝部４０と、を備えるハンマー。
【請求項２】
前記ヘッド２０は金属からなり、
前記緩衝部４０はヘッド２０をなす金属よりも硬度の小さい金属からなる請求項１に記載のハンマー。
【請求項３】
前記ヘッド２０をなす金属は、鉄またはステンレスであり、
前記緩衝部４０をなす金属は、スズ合金である請求項２に記載のハンマー。
【考案の詳細な説明】
【技術分野】
【０００１】
この考案は、ハンマーに関する。
より詳しくは、打撃時に手に伝わる衝撃を低減したハンマーに関する。
【背景技術】
【０００２】
ハンマーの柄を手でにぎり、作業対象物を打撃する際に、その打撃の衝撃が手に返ってきて手がしびれたり、振動でハンマーがぶれたりすると、円滑な作業の妨げとなる。
このためハンマーの打撃作業時に、手に伝わる衝撃を低減する試みがなされている。
【０００３】
たとえば、特許文献１には、金属製ハンマーのヘッドを中空としてこれを収納室とし、その収納室に金属製スライダを挿入し、このスライダをヘッド両端にある打撃面の間をスライド可能に構成したものが開示されている。
【０００４】
このハンマーの柄をにぎってヘッドを振り下ろすとスライダが遅れてヘッドの振り下ろし方向にスライドする。そのため打撃作業の際には、まずヘッドが作業対象物を打撃し、次いでスライダが打撃面と対向する収納室の底（端部）を打撃することになる。
したがって、作業対象物を打撃した反力がヘッドに返ってくるのとほぼ同時に、反力と逆向きの力がスライダからヘッドに加えられることになり、２つの力が相殺されて手に伝わる衝撃が緩和されることになる。
【先行技術文献】
【特許文献】
【０００５】
【特許文献１】実開昭６１−１４８５７９号公報
【考案の概要】
【考案が解決しようとする課題】
【０００６】
しかし特許文献１のハンマーを繰り返し使用すると、スライダが何度も収納室の底部に打ち付けられることで、その衝撃によりスライダは次第に変形してゆく。
スライダの変形量が大きくなると、収納室の周壁につかえてしまいスムーズにスライドしなくなってしまう。このようにスライダがスムーズにスライドしないと、衝撃低減効果が奏されなくなってしまう。
【０００７】
そこでこの考案は、打撃時に手に伝わる衝撃を低減したハンマーについて、繰り返し使用してもその衝撃低減効果を維持できるようにすることである。
【課題を解決するための手段】
【０００８】
以上の課題を解決するため、考案にかかるハンマーを、手で把持可能な柄と、前記柄の先端に取り付けられ、柄の長手方向と直交する方向の端部に作業対象物を打撃可能な打撃面を有し、かつ内部に柄の長手方向と直交する方向に延びる収納室を有するヘッドと、前記収納室内に前記打撃面に対して接近離反する方向にスライド可能に保持されるスライダと、前記収納室の前記打撃面に対向する底に配置された、前記ヘッドの材質よりも緩衝性の高い材質からなる緩衝部と、を備える構成としたのである。
【０００９】
収納室の底に緩衝部があるため、スライダがこの底に打ち付けられた際に、スライダに加わる衝撃が緩和される。
したがって、スライダは従来よりも変形しにくくなり、ハンマーを繰り返し使用しても、収納室内をスムーズにスライドする。このため、ハンマーの衝撃低減効果が長期にわたって維持される。
【００１０】
ヘッドおよび緩衝部の材質はとくに限定されず、金属、合成樹脂、天然樹脂（天然ゴム）が例示できるが、ヘッドは金属からなり、前記緩衝部はヘッドをなす金属よりも硬度の小さい金属からなるのが好ましい。
ここで前記ヘッドをなす金属は、鉄またはステンレスであり、前記緩衝部をなす金属は、スズ合金であるのが耐久性、打撃力等の点からより好ましい。
【考案の効果】
【００１１】
打撃時に手に伝わる衝撃を低減したハンマーについて、以上のように構成したので、その衝撃低減効果を長期にわたり維持することが可能となった。
【図面の簡単な説明】
【００１２】
【図１】ハンマーの全体斜視図
【図２】（ａ）はハンマーの頭部縦断面図、（ｂ）はハンマーの頭部横断面図
【図３】ヘッドの分解斜視図
【考案を実施するための形態】
【００１３】
以下、図面を参照しつつ、この考案の実施形態について説明する。
図１および図２に示す実施形態のハンマー１は、通常のハンマーと同様に、柄１０と、柄１０の先端に取り付けられたヘッド２０と、を備え、使用の際には、柄１０を手でにぎってヘッド２０を振り下ろして作業対象物を打撃する。
【００１４】
ここで柄１０は、その外周に手になじみやすいように曲面形に形成された合成樹脂製または木製のグリップ１１が取り付けられている。
またグリップ１１には、滑り止めが付されている。
【００１５】
詳しくはヘッド２０は、ステンレスまたは鉄製であって、ほぼ円柱形をなしている。その円柱の軸方向の中央部には径方向に貫通する取り付け孔２１が形成され、この取り付け孔２１に柄１０の先端が差し込まれ、抜け止めされている。
ヘッド２０の円柱軸方向の両端面はフラットまたは曲面状の打撃面２２となっている。また、ヘッドの外周面には環状溝が形成され、この環状溝から打撃面に向けてヘッドの外径は次第に窄まっている。
【００１６】
さらに、ヘッド２０内部の取付け孔２１の左右には、取り付け孔２１と隔離された収納室２３がそれぞれ形成されている。
各収納室２３は、ヘッド２０と同軸の円柱形をなしており、打撃面２２の手前が行き止まりとなって底２３ａをなしている。
【００１７】
各収納室２３には、収納室２３とほぼ同軸の円筒形のスライダ３０がそれぞれ収納されている。スライダ３０は、ステンレスまたは鉄製であり、そのエッジ部分には面取りが施されている。
また、スライダ３０の径は、収納室２３の外径より３ｍｍ程度小さくなっており、各スライダ３０は収納室２３内で、取付け孔２１と打撃面２２との間を、打撃面２２に対して接近離反する方向にスムーズにスライド可能になっている。
ここでスライダ３０の径はとくに限定されないが、８ｍｍ〜２２ｍｍが好ましい。また、収納室２３の外径は、スライダ３０がスムーズにスライドするためには、スライダ３０の径よりも２ｍｍ〜４ｍｍ大きいのが好ましい。
【００１８】
さらに収納室２３の底２３ａには、緩衝部４０が積層されている。緩衝部４０はヘッド２０の素材である鉄やステンレスよりも硬度の小さいスズ合金からなる。具体的なスズ合金の組成は、とくに限定されないが、たとえばＳｎが約９０重量％、ＣｕおよびＳｂが約１０重量％である。
ここで、緩衝部４０の収納室２３の底２３ａへの積層形成の方法はとくに限定されず、たとえば、緩衝部４０をなす板状金属を収納室２３に圧入することが例示される。
その他にも、緩衝部４０を鋳造、溶着、貼り付け、めっき、により形成することが例示される。
緩衝部４０は、ヘッド２０よりも硬度が小さいため、高い緩衝性を発揮する。
【００１９】
実施形態のハンマー１の構成は以上のようであり、そのヘッド２０は、図３に示すように、円柱の径方向に貫通孔が穿たれてなるスリーブＳと、一端が閉塞され他端が開放された円筒形のヘッド半体Ｈとから作製される。
具体的には、ヘッド半体Ｈにスライダ３０を挿入し、ついでこのヘッド半体Ｈの開放端側でスリーブＳを円柱端面方向の左右から挟みこむ。
そして、ヘッド半体Ｈの開放端側の縁部同士を突き合わせ、図２のように溶接することで溶接部Ｗを形成し、ヘッド半体ＨとスリーブＳとを一体化して作製される。
なお、ヘッド半体Ｈの開放端側の縁部は、ヘッド半体Ｈ同士を付き合わせた状態でスリーブＳの貫通孔と心合する円孔が形成されるように、一部が半円形に窪んでいる。
こうして、スリーブＳの貫通孔が柄１０を取り付ける取付け孔２１となり、ヘッド半体Ｈの内部が収納室２３を構成し、ヘッド半体Ｈの閉塞端が打撃面２２を構成することになり、簡単にハンマー１を作製することが可能になる。
【００２０】
いま、実施形態のハンマー１の柄１０を手でにぎり、ヘッド２０を振り下してその打撃面２２で作業対象物を打撃する場合を考えると、ヘッド２０に若干遅れてスライダ３０が振り下ろし方向にスライドし、ヘッド２０が作業対象物を打撃する瞬間から少し遅れて収納室２３の底２３ａを打撃する。
作業対象物を打撃した際には、作用反作用の法則から反力がヘッド２０に返ってくるが、これとほぼ同時に、スライダ３０が底２３ａを打撃することで逆向きの力がヘッド２０に加えられる。そのため、２つの力が相殺されて、手に伝わる衝撃が緩和されることになる。
【００２１】
ここで、収納室２３の底２３ａには、緩衝部４０が形成されているため、スライダ３０が収納室２３の底２３ａに衝突するときにスライダ３０に負荷される衝撃が減殺される。
したがって、ハンマー１を繰り返し使用しても、スライダ３０が底２３ａとの衝突によって変形することが抑制される。こうして、スライダ３０はほとんど変形しないため、収納室２３の内壁につかえることなくスムーズにスライドし、衝撃低減効果が長期にわたって維持される。
【００２２】
柄１０、ヘッド２０、スライダ３０の形状、材質は、以上の実施形態に限定されず、たとえばヘッド２０やスライダ３０を角筒形にしてもよい。
ヘッド２０の打撃面２２の数は、実施形態に限定されず、ヘッド２０の一端部にのみ形成し、他端部はくぎ抜きなどに形成してもよい。また、収納室２３、スライダ３０の数も実施形態に限定されず、各１個ずつでもよい。
【００２３】
また、緩衝部４０の材質も、ヘッド２０よりも緩衝性が高い限りにおいて、実施形態に限定されず、たとえば合成樹脂、ゴム、銅でもよい。
ここで緩衝部４０の材質が金属の場合には、緩衝作用の維持のためには、衝撃がかかっても硬化しないこと、すなわち鍛造性がないことが好ましい。
緩衝部４０は、収納室２３内の打撃面２２側の底２３ａ以外にも形成してよく、取付け孔２１側の底にも形成したり、収納室２３の内壁全域に形成したりしてもよい。また、緩衝部４０は、底２３ａの一部のみに形成してもよい。
【符号の説明】
【００２４】
１  ハンマー
１０  柄
１１  グリップ
２０  ヘッド
２１  取付け孔
２２  打撃面
２３  収納室
２３ａ  底
３０  スライダ
４０  緩衝部
Ｓ  スリーブ
Ｈ  ヘッド半体
Ｗ  溶接部
【図１】
0003151899.tif 000003
【図２】
0003151899.tif 000004
【図３】
0003151899.tif 000005